(57)【特許請求の範囲】
【請求項１】
放射線管理区域に入退域する作業者に所定の情報を提供するための入退域情報管理システムであって、
作業者が前記放射線管理区域へ入域するために通過する入域ゲートであって、作業者に入域用情報を提供するための入域側情報提供装置を備える入域ゲートと、
作業者が前記放射線管理区域から退域するために通過する退域ゲートであって、作業者に退域用情報を提供するための退域側情報提供装置を備える退域ゲートと、
前記入域側情報提供装置および前記退域側情報提供装置で提供すべき入域用情報及び退域用情報を管理し、前記入域側情報提供装置から作業者に、前記入域用情報を提供させ、前記退域側情報提供装置から作業者に、前記退域用情報を複数回提供させる管理装置と、
を備え、
前記入域用情報には、作業者の積算被ばく量に関する情報及び放射線防護に関する知識情報が含まれ、
前記退域用情報には、前記放射線防護に関する知識情報が含まれ、
前記入域用情報に含まれるそれぞれの情報には予め優先度が設定され、
前記作業者の積算被ばく量に関する情報の優先度は、前記放射線防護に関する知識情報の優先度よりも高く設定され、
前記入域側情報提供装置は、前記入域用情報に含まれるそれぞれの情報について前記優先度に応じた値である表示優先度を算出し、前記表示優先度の最も高い情報を作業者に提供する
入退域情報管理システム。
【請求項２】
前記入域用情報に含まれるそれぞれの情報の前記表示優先度は、それぞれの情報の優先度にランダムな重み付けをして算出される値である
請求項１に記載の入退域情報管理システム。
【請求項３】
前記退域側情報提供装置は、前記退域用情報に含まれるそれぞれの情報からランダムに選択した情報を作業者に複数回提供する
請求項２に記載の入退域情報管理システム。
【発明の詳細な説明】
【技術分野】
【０００１】
本発明は、入退域情報管理システム、入退域被ばく線量管理システム、管理サーバ及び管理方法の技術に関する。
【背景技術】
【０００２】
原子力発電所等の放射線管理区域内で作業する作業者は、放射線防護に関する基礎的知識教育を受講して正しい知識と防護策を身につけ、個人被ばく線量の低減を図る必要がある。そのため、作業者の教育履歴、教育実施状況、及び定期的な再教育の実施等は、個人被ばく管理システムによって管理されている。また、個人被ばく管理システムは、作業者の被ばくを所定量以下に抑えるために、各作業者の積算被ばく線量と計画線量との偏差を監視及び管理する。
【０００３】
例えば、特許文献１には、環境放射線測定データと入退域ゲートより入力された管理区域作業計画情報とを用いて、作業者に被ばく線量の予測値、線量超過予告ならびに余裕線量情報を提供する。これにより特許文献１では、作業に伴う被ばく線量の低減と、被ばく線量の計画値オーバーを防止する。
【先行技術文献】
【特許文献】
【０００４】
【特許文献１】特開昭６２−１１０１８２号公報
【発明の概要】
【発明が解決しようとする課題】
【０００５】
従来技術は、放射線防護教育の履歴を管理することにより、作業者の教育の実施漏れを防止できる。しかし、従来技術は、各作業者が必要な知識を適切に記憶しているか否かを判断することはできない。教育で得たはずの知識を記憶していない作業者は、適切な放射線防護措置を取ることができない虞がある。
【０００６】
また、放射線管理区域内の作業は通常一人では行わず、作業責任者を置いた作業班単位で行動する。したがって、作業責任者は、作業者個人に注意を喚起することに加えて、作業班全体に対して注意を喚起する必要がある。しかし、特許文献１は、作業者個人に対して注意を喚起することはできるが、作業班全体に対して注意を喚起することはできない。
【０００７】
本発明の目的は、管理区域に入退場する作業者に対して入域時と退域時とでそれぞれ異なる情報を異なる形態で提供できるようにした入退域情報管理システム、入退域被ばく管理システム、管理サーバ及び管理方法を提供することにある。
【０００８】
本発明の他の目的は、各作業者の放射線防護に関する知識を維持向上させる入退域情報管理システム、入退域被ばく管理システム、管理サーバ及び管理方法を提供することにある。
【０００９】
本発明の他の目的は、作業責任者に作業班全体への注意を喚起させる入退域情報管理システム、入退域被ばく管理システム、管理サーバ及び管理方法を提供することにある。
【課題を解決するための手段】
【００１０】
本発明に係る入退域情報管理システムは、所定の管理区域に入退域する作業者に所定の情報を提供するための入退域情報管理システムであって、作業者が所定の管理区域へ入域するために通過する入域ゲートであって、作業者に情報を提供するための入域側情報提供装置を備える入域ゲートと、作業者が所定の管理区域から退域するために通過する退域ゲートであって、作業者に情報を提供するための退域側情報提供装置を備える退域ゲートと、入域側情報提供装置および退域側情報提供装置で提供すべき情報を管理する管理装置とを備え、管理装置は、入域側情報提供装置から作業者には、所定の入域用情報を提供させ、退域側情報提供装置から作業者には、所定の退域用情報を複数回提供させるように、管理する。
【００１１】
本発明に係る放射線管理区域における入退域被ばく線量管理システムは、各作業者についての積算被ばく線量を保持する個人情報データベースと、放射線管理区域における各作業に対する計画線量を保持する作業情報データベースと、放射線管理区域の作業に関する知識情報を保持する知識情報データベースと、作業者の放射線管理区域への入域をチェックする入域ゲートと、作業者の放射線管理区域からの退域をチェックする退域ゲートとを備える。入域ゲートは、入域する作業者を識別し、個人情報データベースから取得した入域する作業者の積算被ばく線量と、作業情報データベースから取得した入域する作業者の作業に係る計画線量とを比較し、積算被ばく線量が計画線量の所定の割合以上である場合は、その旨を入域する作業者に通知し、積算被ばく線量が計画線量の所定の割合未満である場合は、知識情報を知識情報データベースから取得して、その知識情報を入域する作業者に通知する。退域ゲートは、退域する作業者を識別し、退域する作業者の当該作業における被ばく線量を加算した作業後積算被ばく線量と、退域する作業者の前記計画線量とを比較し、作業後積算被ばく線量が、計画線量の所定の割合以上である場合は、その旨を退域する作業者に通知し、作業後積算被ばく線量が計画線量の所定の割合未満である場合は、知識情報を知識データベースから取得して、その知識情報を退域する作業者に通知する。
【図面の簡単な説明】
【００１２】
【図１】図１は、入退域被ばく線量管理システムの運用例を示す模式図である。
【図２】図２は、入退域被ばく線量管理システムの全体構成の一例を示すブロック図である。
【図３】図３は、個人情報ＤＢのデータテーブル構造の一例を示す図である。
【図４】図４は、作業情報ＤＢのデータテーブル構造の一例を示す図である。
【図５】図５は、知識情報ＤＢにおける特定知識情報ＤＢのデータテーブル構造の一例を示す図である。
【図６】図６は、知識情報ＤＢにおける一般知識情報ＤＢのデータテーブル構造の一例を示す図である。
【図７】図７は、入域ゲートの一例を示す模式図である。
【図８】図８は、入域表示装置の表示の一例を示す模式図である。
【図９】図９は、入域表示装置の通知領域に表示される情報の一例を示す模式図である。
【図１０】図１０は、入域表示装置の通知領域に表示される情報の別の一例を示す模式図である。
【図１１】図１１は、体表面モニタの一例を示す模式図である。
【図１２】図１２は、退域表示装置の表示の一例を示す表示例である。
【図１３】図１３は、入域ゲートにおける処理の一例を示すフローチャートである。
【図１４】図１４は、体表面モニタにおける処理の一例を示すフローチャートである。
【発明を実施するための形態】
【００１３】
本実施例は、放射線管理区域における作業者に対して、入退域時において適切な情報を提示することを特徴とする。また、作業者の役職及び知識レベルに基づいて、入退域時において適切な情報を提示することを特徴とする。以下、本発明の実施形態について図面を用いて説明する。
【００１４】
図１は、入退域情報管理システムの一例である入退域被ばく線量管理システムの運用例を示す模式図である。まず、放射線管理区域内への入域について説明する。
【００１５】
図１において、作業者は、個人被ばく線量計Ｄと作業者を識別するＩＤ（Ｉｄｅｎｔｉｆｉｃａｔｉｏｎ）カードＣを装着し、入域ゲート１１を通過して入域手続きを行う。このとき、入域ゲート１１が備える入域読み取り装置１２は、ＩＤカードＣから作業者ＩＤ２０１（図３参照）を読み取り、サーバ１０（図２参照）に送信する。これにより、作業者ＩＤ２０１に対応する作業者が放射線管理区域に入域したことが、サーバ１０に登録される。そして、入域ゲート１１は、作業者ＩＤ２０１に対応する作業者の積算被ばく線量（以下「積算線量」という）２０４（図３参照）、計画被ばく線量（以下「計画線量」という）２１２（図４参照）、及び放射線防護に関する知識情報等をサーバ１０から取得し、入域表示装置１３に表示する。
【００１６】
次に、放射線管理区域内からの退域について説明する。作業者は、退域ゲートが備える体表面モニタ１４で体表面の汚染を確認してから、退域手続きを行う。体表面モニタ１４が備える退域読み取り装置１５は、ＩＤカードＣから作業者ＩＤ２０１を、個人被ばく線量計Ｄから被ばく線量を、それぞれ読み取る。退域読み取り装置１５は、例えば、非接触通信によってＩＤカードＣから作業者ＩＤ２０１を読み取る。退域読み取り装置１５は、読み取った作業者ＩＤ２０１と被ばく線量をサーバ１０に送信する。これにより、作業者ＩＤ２０１に対応する作業者が放射線管理区域から退域したこと、及び作業者の放射線管理区域内における被ばく線量が、サーバ１０に登録される。そして、体表面モニタ１４は、作業者の体表面の汚染をモニタリングする。このモニタリングには所定の時間（例えば、１分間ぐらい）を要する。そこで、このモニタリングの間、退域表示装置１６に、作業者の積算線量２０４、計画線量２１２等の情報に加えて、放射線防御に関する知識情報を表示する。これにより、作業者の放射線防御に関する知識の維持向上を図る。モニタリング終了後、作業者は、個人被ばく線量計ＤとＩＤカードＣを返却して退域する。
【００１７】
図２は、入退域被ばく線量管理システムの全体構成の一例を示すブロック図である。入退域被ばく線量管理システム１は、入域ゲート１１と、体表面モニタ１４と、サーバ１０と、管理端末４１とを備え、各装置は双方向にデータ通信可能な通信ネットワーク４０で接続されている。入域ゲート１１及び体表面モニタ１４は、作業者の通行量などに応じて、複数台設置されても良い。
【００１８】
サーバ１０は、コントローラ２７と、個人情報データベース（以下「ＤＢ」という）２８と、作業情報ＤＢ２９と、知識情報ＤＢ３０とを備える。入域ゲート１１は、入域読み取り装置１２と、入域表示装置１３とを備える。体表面モニタ（退域ゲート）１４は、退域読み取り装置１５と、退域表示装置１６とを備える。サーバ１０、入域ゲート１１、及び体表面モニタ１４はそれぞれ、例えば、ＣＰＵ（Ｃｅｎｔｒａｌ  Ｐｒｏｃｅｓｓｉｎｇ  Ｕｎｉｔ）、メモリ及び記憶デバイス等を備え、コンピュータプログラム（以下「プログラム」という）を実行することにより、本実施例に示す種々の機能を実現する。記憶デバイスは、例えば、ＨＤＤ（Ｈａｒｄ  Ｄｉｓｋ  Ｄｒｉｖｅ）又はフラッシュメモリ等で構成される。
【００１９】
図３は、個人情報ＤＢ２８のデータテーブル構造の一例を示す図である。個人情報ＤＢ２８は、１又は２以上の個人情報１０１から構成され、各作業者の積算線量２０４等を管理する。以下、個人情報１０１ａ〜１０１ｇを特に区別しない場合は、個人情報１０１と呼ぶ。
【００２０】
個人情報１０１は、データ項目として、作業者ＩＤ２０１と、作業者の氏名２０２と、役職２０３と、積算線量２０４と、作業ＩＤ２０５と、知識レベル２０６と、入退域フラグ２０７を有する。
【００２１】
作業者ＩＤ２０１には、作業者を一意に識別するためのＩＤが登録される。作業者の識別は、上述のとおり、ＩＤカードＣによって行う。作業者の氏名２０２には、作業者の氏名が登録される。
【００２２】
役職２０３には、作業者の役職２０３が登録される。例えば、役職２０３には、その作業者が「作業責任者」であるか、「一般作業者」であるかが登録される。「作業責任者」は、１又は２以上の「一般作業者」の管理責任を有し、例えば、この作業責任者と一般作業者とで作業班を形成する。
【００２３】
積算線量２０４には、作業者の積算被ばく線量が登録される。つまり、作業者がこれまでの作業によって被ばくした線量の積算値が登録される。
【００２４】
作業ＩＤ２０５には、作業者が従事する作業内容を識別するためのＩＤが登録される。つまり、この作業ＩＤ２０５が同じ作業者で１つの作業班が形成される。
【００２５】
知識レベル２０６には、作業者の放射線防護に関する知識レベルの値が登録される。つまり、知識レベル２０６の高い作業者は、放射線防護に詳しいと考えられ、知識レベル２０６の低い作業者は、放射線防護にまだあまり詳しくないと考えられる。
【００２６】
入退域フラグ２０７には、作業者が放射線管理区域に入域中であるか否かが登録される。つまり、この入退域フラグ２０７が「入」の場合は、その作業者が入域中であることを示し、入退域フラグ２０７が「退」の場合は、その作業者が退域中であることを示す。
【００２７】
例えば、図３に示す個人情報ＤＢ２８における個人情報１０１ａは、以下の内容を示している。即ち、作業者ＩＤ２０１「１１１１１１」の作業者は、その氏名２０２が「作業者Ａ」、役職２０３は「作業責任者」、積算線量２０４は「１．２ｍＳｖ」、作業ＩＤ２０５は「０００１」、知識レベル２０６は「１０」、入退域フラグ２０７は「入」（つまり、入域中）であることを示す。
【００２８】
図４は、作業情報ＤＢ２９のデータテーブル構造の一例を示す図である。作業情報ＤＢ２９は、１又は２以上の作業情報１０２から構成され、作業ＩＤ２０５に対応する作業内容に関する情報を管理する。作業情報１０２ａ〜１０２ｇを特に区別しない場合、作業情報１０２と呼ぶ。
【００２９】
作業情報１０２は、データ項目として、作業ＩＤ２０５と、作業件名２１１と、計画線量２１２と、作業環境２１３とを有する。
【００３０】
作業ＩＤ２０５には、作業内容を識別するためのＩＤが登録される。この作業ＩＤ２０５は、上記の個人情報１０１の作業ＩＤ２０５とリンクする。作業件名２１１には、この作業の件名が登録される。
【００３１】
計画線量２１２には、この作業に従事可能な積算線量２０４の上限値が登録される。つまり、積算線量２０４がこの計画線量２１２を超えそうな作業者は、この作業に従事することができない。
【００３２】
作業環境２１３には、この作業に関する情報が登録される。例えば、作業環境２１３は、データ項目として、この作業の作業区域（例えば、Ｂ区域、Ｃ区域、Ｄ区域の何れの区域の作業であるか）、防護マスクの要否、保護衣の要否、ゴム手袋の要否等を保持する。作業環境２１３のデータ項目において、該当する項目には「１」、該当しない項目には「０」が登録される。
【００３３】
例えば、図４に示す作業情報ＤＢ２９における作業情報１０２ａは、作業ＩＤ２０５「０００１」の作業件名２１１は「工事Ａ」、計画線量２１２は「３．０ｍＳｖ」、作業区域は「Ｄ区域」、防護マスクは「必要」、保護衣は「必要」、ゴム手袋は「必要」であることを示す。
【００３４】
図５は、知識情報ＤＢ３０における特定知識情報ＤＢ３０ａのデータテーブル構造の一例を示す図である。特定知識情報ＤＢ３０ａは、１又は２以上の特定知識情報１０３から構成され、特定の作業において知っておくべき知識を管理する。以下、特定知識情報１０３ａ〜１０３ｆを特に区別しない場合、特定知識情報１０３と呼ぶ。
【００３５】
特定知識情報１０３は、データ項目として、特定知識タイトル２２１と、特定知識内容２２２と、対応作業環境２２３とを有する。
【００３６】
特定知識タイトル２２１には、特定知識情報１０３のタイトルが保持される。特定知識内容２２２には、特定知識情報１０３の表示内容が保持される。これら特定知識タイトル２２１及び特定知識内容２２２に保持されている情報は、入域表示装置１３又は退域表示装置１６に表示される。
【００３７】
対応作業環境２２３は、上記図４の作業環境２１３と同じデータ項目を有し、各データ項目と特定知識情報１０３との対応関係が保持される。対応作業環境２２３のデータ項目において、該当する項目には「１」、該当しない項目には「０」が登録される。
【００３８】
例えば、図５に示す特定知識情報ＤＢ３０ａの特定知識情報１０３ａは、特定知識タイトル２２１「防護マスク装着時の注意」及び特定知識内容２２２「防護マスク装着時はリークチェックを忘れずに」を規定する。この特定知識情報１０３ａは、対応作業環境２２３に示すとおり、防護マスクが必要な作業において、入域表示装置１３又は退域表示装置１６に表示され得る。
【００３９】
例えば、特定知識情報１０３ｂは、特定知識タイトル２２１「ゴム手袋の着用」及び特定知識内容２２２「Ｃ，Ｄ区域ではゴム手袋を２枚以上着用すること」を規定する。この特定知識情報１０３ｂは、対応作業環境２２３に示すとおり、Ｃ区域又はＤ区域における作業、又はゴム手袋が必要な作業において、入域表示装置１３又は退域表示装置１６に表示され得る。
【００４０】
図６は、知識情報ＤＢ３０における一般知識情報ＤＢ３０ｂのデータテーブル構造の一例を示す図である。一般知識情報ＤＢ３０ｂは、１又は２以上の一般知識情報１０４から構成され、放射線防護において一般的に知っておくべき知識を保持する。一般知識情報１０４ａ〜１０４ｆを特に区別しない場合、一般知識情報１０４と呼ぶ。
【００４１】
一般知識情報１０４は、データ項目として、一般知識タイトル２３１と、一般知識内容２３２と、難易度２３３とを有する。
【００４２】
一般知識タイトル２３１には、一般知識情報１０４のタイトルが保持される。一般知識内容２３２には、一般知識情報１０４の表示内容が保持される。これら一般知識タイトル２３１及び一般知識情報１０４の内容は、入域表示装置１３又は退域表示装置１６に表示される。
【００４３】
難易度２３３は、一般知識情報１０４の難易度のレベルを示す。この難易度が大きいほど、難易度の高い（専門性の高い）一般知識情報１０４である。
【００４４】
例えば、図６に示す一般知識情報ＤＢ３０ｂの一般知識情報１０４ａは、一般知識タイトル２３１「飲食・喫煙」及び一般知識内容２３２「管理区域内での飲食・喫煙は禁止です」の難易度２３３が「１」であることを示す。
【００４５】
図７は、入域ゲート１１の一例を示す模式図である。入域ゲート１１は作業者の入域をチェックするためのゲートであり、入域読み取り装置１２と、入域表示装置１３を備える。
【００４６】
入域読み取り装置１２は、ＩＤカードＣから作業者ＩＤ２０１を読み取り、サーバ１０に送信する。入域読み取り装置１２は、例えば、非接触通信によって、ＩＤカードＣから作業者ＩＤ２０１のデータを読み取る。
【００４７】
入域表示装置１３には、作業者が入域にあたって知っておくべき情報が表示される。入域にあたって知っておくべき情報は、作業者の役職又は作業内容等によって異なる。例えば、作業責任者は、自分が管理する作業班の各作業者の氏名、積算線量等を知っておく必要がある。例えば、一般作業者は、自分が属する作業班の作業責任者の氏名、自分の積算線量、自分の作業内容等を知っておく必要がある。入域表示装置１３は、例えば、液晶ディスプレイ及び／又はスピーカ等で構成され、これらの情報を作業者に例えば文字メッセージ、静止画像、動画像音声で通知する。
【００４８】
図８は、入域表示装置１３の表示の一例を示す模式図である。例えば、入域表示装置１３の領域１００１には、入域者の氏名２０２、入域時刻、作業件名２１１、計画線量２１２、及び積算線量２０４等が表示される。例えば、通知領域１００２には、入域にあたって知っておくべき情報が表示される。この図８では、図５に示す特定知識情報１０３ａの情報が表示されている。
【００４９】
図９は、入域表示装置１３の通知領域に表示される情報の一例を示す模式図である。当該図９に示す情報は、例えば、入域者が作業責任者であって、自分が管理する作業班に積算線量２０４が計画線量２１２の所定の割合以上の作業者が存在する場合に通知される。つまり、その積算線量２０４が計画線量２１２の所定の割合以上である作業者の氏名２０２、積算線量２０４、及び計画線量２１２が、通知領域１００２に表示される。これにより、作業責任者は、当該作業において、これら作業者の積算線量２０４に十分気をつけなければならないことを知ることができる。
【００５０】
図１０は、入域表示装置１３の通知領域に表示される情報の別の一例を示す模式図である。当該図１０に示す情報は、例えば、入域者の積算線量２０４が計画線量２１２の所定の割合以上である場合に通知される。つまり、その入域者の積算線量２０４及び計画線量２１２が、通知領域１００２に表示される。これにより、入域する作業者は、自分の積算線量２０４に十分気をつけなければならにことを知ることができる。
【００５１】
図１１は、体表面モニタ１４の一例を示す模式図である。体表面モニタ１４は作業者の退域のチェック及び体表面の汚染をモニタリングするための退域ゲートであり、退域読み取り装置１５と、退域表示装置１６を備える。
【００５２】
退域読み取り装置１５は、ＩＤカードＣから作業者ＩＤ２０１を、個人被ばく線量計Ｄから被ばく線量を読み取り、サーバ１０に送信する。退域読み取り装置１５は、例えば、非接触通信によって、ＩＤカードＣ及び個人被ばく線量計Ｄから作業者ＩＤ２０１及び被ばく線量のデータを読み取る。
【００５３】
退域表示装置１６には、作業者が今後の作業のために知っておくべき情報が表示される。今後の作業のために知っておくべき情報は、当該作業における被ばく線量又は当該作業者の放射線防護に関する知識レベル２０６等によって異なる。例えば、当該作業における被ばく線量が所定以上に高い場合、又は当該作業後の積算線量２０４が計画線量２１２の所定の割合以上である場合、作業者は、その旨を知っておかなければならない。また、作業の安全性を確保するために、作業者は、放射線防護に関する知識レベル２０６の維持向上を図らなければならない。入域表示装置１３は、例えば、液晶ディスプレイ及び／又はスピーカ等で構成され、これらの情報を作業者に映像及び／又は音声で通知する。
【００５４】
図１２は、退域表示装置１６の表示の一例を示す表示例である。例えば、退域表示装置１６の領域１１０１には、退域者の氏名２０２、退域時刻、作業件名２１１、計画線量２１２、及び積算線量２０４等が表示される。例えば、通知領域１１０２には、退域にあたって知っておくべき情報が表示される。この図１２では、図６に示す一般知識情報１０４ｅの情報が表示されている。以下、図２の説明に戻る。
【００５５】
コントローラ２７は、当該サーバ１０及び各ＤＢ２８〜３０を制御する。コントローラ２７は、作業者の入退域を管理する。つまり、コントローラ２７は、入域ゲート１１から作業者ＩＤ２０１を受信すると、その作業者ＩＤ２０１に係る作業者が入域した旨を個人情報ＤＢ２８に登録する。
【００５６】
コントローラ２７は、体表面モニタ１４から作業者ＩＤ２０１と被ばく線量を受信すると、その作業者ＩＤ２０１に係る作業者が退域した旨を個人情報ＤＢ２８に登録すると共に、その被ばく線量を積算線量２０４に加算する。
【００５７】
コントローラ２７は、入域ゲート１１又は体表面モニタ１４から作業者ＩＤ２０１に対応する個人情報１０１の要求を受けると、個人情報ＤＢ２８から、その作業者ＩＤ２０１に対応する個人情報１０１を取得し、入域ゲート１１又は体表面モニタ１４に返信する。
【００５８】
コントローラ２７は、入域ゲート１１又は体表面モニタ１４から作業ＩＤ２０５に対応する作業情報１０２の要求を受けると、作業情報ＤＢ２９から、その作業ＩＤ２０５に対応する作業情報１０２を取得し、入域ゲート１１又は体表面モニタ１４に返信する。
【００５９】
コントローラ２７は、入域ゲート１１又は体表面モニタ１４から特定知識情報１０３及び／又は一般知識情報１０４の要求を受けると、知識情報ＤＢ３０から特定知識情報１０３及び／又は一般知識情報１０４を取得し、入域ゲート１１又は体表面モニタ１４に返信する。
【００６０】
このとき、コントローラ２７は、入域ゲート１１から作業ＩＤ２０５を受け、その作業ＩＤ２０５に対応する作業環境２１３に基づいて、適合する特定知識情報１０３のみを返信するようにしても良い。また、コントローラ２７は、退域ゲートから作業者ＩＤ２０１を受け、その作業者の知識レベル２０６に適合する難易度２３３の一般知識情報１０４のみを返信するようにしても良い。
【００６１】
管理端末４１は、サーバ１０を、通信ネットワーク４０を介して操作及び管理するための端末である。また、管理端末４１は、通信ネットワーク４０を介して入域ゲート１１及び体表面モニタ１４を操作及び管理しても良い。
【００６２】
図１３は、入域ゲート１１における処理の一例を示すフローチャートである。入域ゲート１１は、入域読み取り装置１２を介して、入域作業者の作業者ＩＤ２０１を読み取る（Ｓ１０１）。入域ゲート１１は、サーバ１０から作業者ＩＤ２０１に対応する個人情報１０１を取得する（Ｓ１０２）。入域ゲート１１は、個人情報１０１の役職２０３を参照して、当該作業者が「作業責任者」であるか否かを判定する（Ｓ１０３）。まずは作業者が「作業責任者」であった場合（Ｓ１０３：ＹＥＳ）について説明する。
【００６３】
入域ゲート１１は、サーバ１０から、当該作業責任者が管理する作業班に属する各作業者の個人情報１０１を取得する（Ｓ１０４）。入域ゲート１１は、作業班に属する各作業者の積算線量２０４と当該作業に係る計画線量２１２とを比較し、積算線量２０４が計画線量２１２に接近している（つまり、積算線量２０４が計画線量２１２の所定の割合以上の）作業者が存在するか否かを判定する（Ｓ１０５）。
【００６４】
積算線量２０４が計画線量２１２に接近している人が存在する場合（Ｓ１０５：ＹＥＳ）、入域ゲート１１は、その計画線量２１２に接近している作業者の個人情報１０１を入域表示装置１３に表示し（Ｓ１０６）、当該処理を終了する。
【００６５】
積算線量２０４が計画線量２１２に接近している人が存在しない場合（Ｓ１０５：ＮＯ）、入域ゲート１１は、ステップＳ１０７の処理に進む。
【００６６】
次に、作業者が「作業責任者」でなかった場合（Ｓ１０３：ＮＯ）、又はステップＳ１０５において積算線量２０４が計画線量２１２に接近している人が存在しない場合（Ｓ１０５：ＮＯ）について説明する。入域ゲート１１は、作業者自身の積算線量２０４が計画線量２１２に接近しているか否かを判定する（Ｓ１０７）。
【００６７】
作業者自身の積算線量２０４が計画線量２１２に接近している場合（Ｓ１０７：ＹＥＳ）、入域ゲート１１は、作業者自身の積算線量２０４が計画線量２１２に接近している旨を入域表示装置１３に表示し（Ｓ１０８）、当該処理を終了する。
【００６８】
作業者自身の積算線量２０４が計画線量２１２に接近していない場合（Ｓ１０７：ＮＯ）、入域ゲート１１は、サーバ１０から、作業ＩＤ２０５に対応する特定知識情報１０３と、当該作業者の知識レベル２０６に適合する一般知識情報１０４とを取得する（Ｓ１０９）。
【００６９】
入域ゲート１１は、特定知識情報１０３と一般知識情報１０４の表示優先度を算出する（Ｓ１１０）。ここで、基本的には、特定知識情報１０３の方が一般知識情報１０４よりも優先度が高い。しかし、毎回同じ情報が表示されないように、各特定知識情報１０３及び一般知識情報１０４に対してランダムな重み付けをして優先度を算出するようにしても良い。
【００７０】
入域ゲート１１は、算出した表示優先度の最も高い特定知識情報１０３又は一般知識情報１０４を、入域表示装置１３に表示し（Ｓ１１１）、当該処理を終了する。
【００７１】
図１４は、体表面モニタ１４における処理の一例を示すフローチャートである。体表面モニタ１４は、体表面の汚染のモニタリングを開始する（Ｓ２０１）。そして、体表面モニタ１４は、モニタリング中、以降に示す処理を実行する。体表面モニタ１４は、退域読み取り装置１５を介して、作業者ＩＤ２０１と被ばく線量を読み取る（Ｓ２０２）。体表面モニタ１４は、読み取った作業者ＩＤ２０１と被ばく線量をサーバ１０に送信し、サーバ１０から個人情報１０１と作業情報１０２を取得する（Ｓ２０３）。このとき取得した個人情報１０１に含まれる積算線量２０４には、当該被ばく線量が加算されている。体表面モニタ１４は、作業者の積算線量２０４が計画線量２１２に接近しているか否かを判定する（Ｓ２０４）。
【００７２】
作業者の積算線量２０４が計画線量２１２に接近していない場合（Ｓ２０４：ＮＯ）、体表面センサは、ステップＳ２０７の処理に進む。
【００７３】
作業者の積算線量２０４が計画線量２１２に接近している場合（Ｓ２０４：ＹＥＳ）、体表面モニタ１４は、積算線量２０４が計画線量２１２に接近している旨を、退域表示装置１６に表示する（Ｓ２０５）。そして、体表面モニタ１４は、モニタリングが完了している場合（Ｓ２０６：ＹＥＳ）、当該処理を終了する。一方、モニタリングが完了していない場合（Ｓ２０７：ＮＯ）、体表面モニタ１４は、ステップＳ２０７の処理に進む。
【００７４】
ステップＳ２０７において、体表面モニタ１４は、作業者の知識レベル２０６に適合する複数の一般知識情報１０４をサーバ１０から取得する（Ｓ２０７）。例えば、作業者の知識レベル２０６以上の難易度２３３を有する一般知識情報１０４をサーバ１０から取得する。体表面モニタ１４は、複数の一般知識情報１０４からランダムに選択された一つを、退域表示装置１６に表示する（Ｓ２０８）。そして、体表面モニタ１４は、モニタリングが完了したか否かを判定する（Ｓ２０９）。
【００７５】
モニタリングが完了していない場合（Ｓ２０９：ＮＯ）、体表面モニタ１４は、ステップＳ２０８に戻り、別の一般知識情報１０４をランダムに選択して、退域表示装置１６に表示する。つまり、体表面モニタ１４は、モニタリングが完了するまで、一般知識情報１０４を次々に切り替えて、退域表示装置１６に表示する。
【００７６】
モニタリングが完了した場合（Ｓ２０９：ＹＥＳ）、体表面モニタ１４は、作業者の知識レベル２０６を更新（つまり、レベルアップ又はレベルダウン）するようサーバ１０に要求し（Ｓ２１０）、当該処理を終了する。
【００７７】
本実施例によれば、例えば、以下のような効果を奏する。
１）作業責任者は、入域の際に、積算線量２０４が計画線量２１２に接近している作業者が存在していることを知ることができる。これにより、作業者の被ばく線量に関する安全性をより高めることができる。
２）作業者は、入域の際に、当該作業において知っておくことが望ましい知識を得ることができる。これにより、作業者の当該作業に関する安全性をより高めることができる。
３）作業者は、退域のモニタリング中に、放射線防護に関する知識を確認及び取得することができる。これにより、作業者の放射線防護に関する知識の維持向上を図ることができる。
【００７８】
上述した本発明の実施形態は、本発明の説明のための例示であり、本発明の範囲をそれらの実施形態に限定する趣旨ではない。当業者は、本発明の要旨を逸脱することなしに、他の様々な態様で本発明を実施することができる。
【００７９】
例えば、上記図１３に示す入域ゲート１１処理及び上記図１４に示す体表面モニタ１４処理の一部又は全部を、サーバ１０側で実行するようにしても良い。
【００８０】
例えば、退域時における一般知識情報１０４の表示を問題形式にして作業者が解答できるようにし、正解の場合は当該作業者の知識レベル２０６をアップさせ、不正解の場合は当該作業者の知識レベル２０６をダウンさせるようにしても良い。
【符号の説明】
【００８１】
１…入退域管理システム  １０…サーバ  １１…入域ゲート  １４…体表面モニタ
【図１】
0005726113.tif 000002
【図２】
0005726113.tif 000003
【図３】
0005726113.tif 000004
【図４】
0005726113.tif 000005
【図５】
0005726113.tif 000006
【図６】
0005726113.tif 000007
【図７】
0005726113.tif 000008
【図８】
0005726113.tif 000009
【図９】
0005726113.tif 000010
【図１０】
0005726113.tif 000011
【図１１】
0005726113.tif 000012
【図１２】
0005726113.tif 000013
【図１３】
0005726113.tif 000014
【図１４】
0005726113.tif 000015